(57)【要約】  フィルムコンデンサは、コンデンサ素子と、コンデンサ素子が収容されるケースと、を備える。ケースは、周壁部と、外壁部と、複数の壁連結部と、を含む。外壁部は、周壁部の少なくとも一部の外側に、周壁部と隙間を有するように設けられている。複数の壁連結部は、周壁部と外壁部との間に部分的に設けられ、周壁部と外壁部とを連結する。
2019058846.tif 000002
【特許請求の範囲】
【請求項１】
コンデンサ素子と、
前記コンデンサ素子が収容されるケースと、を備え、
前記ケースは、
周壁部と、
前記周壁部の少なくとも一部の外側に、当該周壁部と隙間を有するように設けられた外壁部と、
前記周壁部と前記外壁部との間に部分的に設けられ、当該周壁部と当該外壁部とを連結するための複数の壁連結部と、を含む、
コンデンサ。
【請求項２】
請求項１に記載のコンデンサにおいて、
前記複数の壁連結部は、
前記外壁部の壁面に沿う第１の方向に間隔を有して並ぶ２つの第１連結部と、
前記２つの第１連結部と異なる位置に設けられ、前記第１の方向に間隔を有して並ぶ２つの第２連結部と、
を含み、
前記第１の方向から見たときに、前記外壁部の壁面に沿い前記第１の方向に直交する第２の方向において、前記２つの第１連結部と前記２つの第２連結部とは離れて配置されており、
前記第２の方向から見たときに、前記２つの第１連結部のそれぞれは、前記２つの第２連結部のそれぞれと重ならない、
コンデンサ。
【請求項３】
コンデンサ素子と、
前記コンデンサ素子が収容されるケースと、を備え、
前記ケースは、
周壁部と、
前記周壁部の少なくとも一部の外側に、当該周壁部と隙間を有するように設けられた外壁部と、を含み、
前記外壁部の前記周壁部に対向する内壁面は、前記外壁部の外縁部から中央部に向かうに従って前記周壁部と離れる形状を有している、
コンデンサ。
【請求項４】
請求項３に記載のコンデンサにおいて、
前記外壁部の前記内壁面は、前記周壁部の壁面に沿い互いに直交する第１の方向および第２の方向の少なくとも何れかの方向において、直線的に屈曲または曲線的に湾曲している、
コンデンサ。
【請求項５】
請求項１〜４のいずれか一項に記載のコンデンサにおいて、
前記コンデンサ素子は、当該コンデンサ素子の両端面に一対の端面電極を有し、
前記周壁部は、前記一対の端面電極にそれぞれ対向する一対の第１壁部と、前記コンデンサ素子の両側に配置され、前記一対の第１壁部の間を連結する一対の第２壁部と、を含み、
前記一対の第１壁部の外側に前記外壁部が設けられ、前記一対の第２壁部の外側に前記外壁部が設けられない、
コンデンサ。
【請求項６】
請求項１〜４のいずれか一項に記載のコンデンサにおいて、
前記コンデンサ素子は、当該コンデンサ素子の両端面に一対の端面電極を有し、
前記周壁部は、前記一対の端面電極にそれぞれ対向する一対の第１壁部と、前記コンデンサ素子の両側に配置され、前記一対の第１壁部の間を連結する一対の第２壁部と、を含み、
前記一対の第１壁部および前記一対の第２壁部の外側に前記外壁部が設けられる、
コンデンサ。
【請求項７】
請求項１〜６のいずれか一項に記載のコンデンサにおいて、
前記ケースは、前記コンデンサ素子を収容するための開口部を有し、
前記周壁部は、前記ケースにおいて、前記開口部と反対側に位置する底壁部を含み、
前記底壁部には、前記開口部側に突出し、前記コンデンサ素子を、当該コンデンサ素子と前記底壁部との間に隙間が生じるように支える複数の突出部が設けられる、
コンデンサ。
【発明の詳細な説明】
【技術分野】
【０００１】
本開示は、コンデンサに関する。
【背景技術】
【０００２】
コンデンサ素子（コンデンサ素体）を収容するケース（容器）の周壁の一部または全部の外側に、当該周壁と隙間を有するように外壁を設けて、ケースを二重の壁構造としたコンデンサ（コンデンサ装置）が、たとえば、特許文献１に記載されている。かかるコンデンサでは、通電時にコンデンサ素子の振動に起因して発生し周壁の外に漏れ出た騒音（うなり音）を外壁で遮音することができる。
【先行技術文献】
【特許文献】
【０００３】
【特許文献１】特開昭５５−１２４２２２号公報
【発明の概要】
【発明が解決しようとする課題】
【０００４】
コンデンサ素子が振動したとき、その振動がケースの周壁に伝播し得る。特許文献１のコンデンサでは、周壁と外壁との間が、これら周壁と外壁とを全周に亘って取り囲む壁によって連結されており、このため、周壁が振動すると、その振動が、連結する壁を介して外壁に伝播しやすく、外壁自身から騒音が発生しやすかった。このため、特許文献１のコンデンサでは、全体として、コンデンサが発する騒音を効果的に低減することが難しかった。【０００５】
また、周壁から漏れて外壁に衝突した音は、外壁の内面に衝突して反射する。このとき、反射した音が、ケースの外方向に拡がってしまうと、ケースから漏れやすくなってしまう。【０００６】
かかる課題に鑑み、本開示は、二重の壁構造のケースによる騒音の抑制効果を良好に得ることが期待できるコンデンサを提供する。
【課題を解決するための手段】
【０００７】
本開示の第１の態様に係るコンデンサは、コンデンサ素子と、コンデンサ素子が収容されるケースと、を備える。ケースは、周壁部と、外壁部と、複数の壁連結部と、を含む。外壁部は、ケースの周壁部の少なくとも一部の外側に、周壁部と隙間を有するように設けられる。複数の壁連結部は、周壁部と外壁部との間に部分的に設けられ、周壁部と外壁部とを連結する。【０００８】
本開示の第２の態様に係るコンデンサは、コンデンサ素子と、コンデンサ素子が収容されるケースと、を備える。ケースは、周壁部と、周壁部の少なくとも一部の外側に、周壁部と隙間を有するように設けられた外壁部とを含む。外壁部の周壁部に対向する内壁面は、外壁部の外縁部から中央部に向かうに従って周壁部と離れる形状を有している。
【発明の効果】
【０００９】
本開示によれば、二重の壁構造のケースによる騒音の抑制効果を良好に得ることが期待できる。【００１０】
本開示の効果ないし意義は、以下に示す実施の形態の説明により更に明らかとなろう。ただし、以下に示す実施の形態は、あくまでも、本開示を実施化する際の一つの例示であって、本開示は、以下の実施の形態に記載されたものに何ら制限されるものではない。
【図面の簡単な説明】
【００１１】
【図１】図１は、第１の実施の形態に係る、充填樹脂が充填される前のフィルムコンデンサの分解斜視図である。
【図２】図２は、第１の実施の形態に係る、中央部で切断されたフィルムコンデンサの正面断面図である。
【図３Ａ】図３Ａは、第１の実施の形態に係る、ケースの平面図である。
【図３Ｂ】図３Ｂは、第１の実施の形態に係る、ケースの底面図である。
【図４Ａ】図４Ａは、図３ＡのＡ−Ａ´断面図である。
【図４Ｂ】図４Ｂは、図３ＡのＢ−Ｂ´断面図である。
【図５Ａ】図５Ａは、第１の実施の形態に係る、コンデンサ素子からの騒音を測定した際の測定条件について説明するための図である。
【図５Ｂ】図５Ｂは、第１の実施の形態に係る、コンデンサ素子からの騒音を測定した結果を示す図である。
【図６】図６は、第１の実施の形態の変更例に係る、ケースの斜視図である。
【図７Ａ】図７Ａは、第１の実施の形態の変更例に係る、ケースの平面図である。
【図７Ｂ】図７Ｂは、第１の実施の形態の変更例に係る、ケースの底面図である。
【図８Ａ】図８Ａは、図７ＡのＡ−Ａ´断面図である。
【図８Ｂ】図８Ｂは、図７ＡのＢ−Ｂ´断面図である。
【図９】図９は、第２の実施の形態に係る、充填樹脂が充填される前のフィルムコンデンサの分解斜視図である。
【図１０】図１０は、第２の実施の形態に係る、中央部で切断されたフィルムコンデンサの正面断面図である。
【図１１Ａ】図１１Ａは、第２の実施の形態に係る、ケースの平面図である。
【図１１Ｂ】図１１Ｂは、第２の実施の形態に係る、ケースの底面図である。
【図１２Ａ】図１２Ａは、図１１ＡのＡ−Ａ´断面図である。
【図１２Ｂ】図１２Ｂは、図１１ＡのＢ−Ｂ´断面図である。
【図１３Ａ】図１３Ａは、第２の実施の形態に係る、コンデンサ素子からの騒音を測定した際の測定条件について説明するための図である。
【図１３Ｂ】図１３Ｂは、第２の実施の形態に係る、コンデンサ素子からの騒音を測定した結果を示す図である。
【図１４】図１４は、第２の実施の形態の変更例に係る、ケースの斜視図である。
【図１５Ａ】図１５Ａは、第２の実施の形態の変更例に係る、ケースの平面図である。
【図１５Ｂ】図１５Ｂは、第２の実施の形態の変更例に係る、ケースの底面図である。
【図１６Ａ】図１６Ａは、図１５ＡのＡ−Ａ´断面図である。
【図１６Ｂ】図１６Ｂは、図１５ＡのＢ−Ｂ´断面図である。
【図１７Ａ】図１７Ａは、第２の実施の形態の他の変更例に係る、ケースの構成について説明するため、ケースの正面断面図である。
【図１７Ｂ】図１７Ｂは、第２の実施の形態の他の変更例に係る、ケースの構成について説明するため、ケースの平面図である。
【図１８Ａ】図１８Ａは、第２の実施の形態の他の変更例に係る、ケースの構成について説明するため、ケースの平面図である。
【図１８Ｂ】図１８Ｂは、第２の実施の形態の他の変更例に係る、ケースの構成について説明するため、ケースの平面図である。
【発明を実施するための形態】
【００１２】
以下、本開示のコンデンサの実施形態であるフィルムコンデンサについて図を参照して説明する。便宜上、各図には、適宜、前後、左右および上下の方向が付記されている。なお、図示の方向は、あくまでフィルムコンデンサの相対的な方向を示すものであり、絶対的な方向を示すものではない。
【００１３】
（第１の実施の形態）
本実施の形態において、第１端面電極１１および第２端面電極１２が、請求の範囲に記載の「端面電極」に対応する。また、前壁部３０４および後壁部３０５が、請求の範囲に記載の「第２壁部」に対応する。さらに、左壁部３０７および右壁部３０８が、請求の範囲に記載の「第１壁部」に対応する。さらに、左外壁部３１１および右外壁部３１２が、請求の範囲に記載の「外壁部」に対応する。さらに、左第１連結部３１３および右第１連結部３１５が、請求の範囲に記載の「壁連結部」および「第１連結部」に対応する。さらに、左第２連結部３１４および右第２連結部３１６が、請求の範囲に記載の「壁連結部」および「第２連結部」に対応する。
【００１４】
ただし、上記記載は、あくまで、請求の範囲の構成と実施形態の構成とを対応付けることを目的とするものであって、上記対応付けによって請求の範囲が実施形態の構成に何ら限定されるものではない。
【００１５】
図１は、本実施の形態に係る、充填樹脂４０が充填される前のフィルムコンデンサ１の分解斜視図である。図２は、本実施の形態に係る、中央部で切断されたフィルムコンデンサ１の正面断面図である。図３Ａおよび図３Ｂは、それぞれ、本実施の形態に係る、ケース３０の平面図および底面図である。図４Ａおよび図４Ｂは、それぞれ、図３ＡのＡ−Ａ´断面図およびＢ−Ｂ´断面図である。なお、図２では、便宜上、充填樹脂４０が透明な状態とされ、その上面部分のみが斜線で描かれている。また、図４Ｂでは、便宜上、コンデンサ素子１０の外形が一点鎖線により示されている。
【００１６】
フィルムコンデンサ１は、コンデンサ素子１０と、一対のリード線端子２０と、ケース３０と、充填樹脂４０とを備える。図２のように、ケース３０内に、一対のリード線端子２０が接続されたコンデンサ素子１０が収容され、充填樹脂４０が充填される。充填樹脂４０は、たとえば、エポキシ樹脂等の熱硬化性樹脂からなり、溶融状態でケース３０内に注入され、ケース３０が加熱されることにより硬化する。充填樹脂４０は、コンデンサ素子１０と一対のリード線端子２０とを覆い、これらの部分を湿気や衝撃から保護する。一対のリード線端子２０の先端部は、充填樹脂４０に覆われず、ケース３０よりも上方に突出し、外部装置に設けられた接続部（図示せず）に接続される。
【００１７】
コンデンサ素子１０は、誘電体フィルム上にアルミニウムを蒸着させた２枚の金属化フィルムを重ね、重ねた金属化フィルムを巻回することにより形成され、ほぼ円柱形状を有する。コンデンサ素子１０は、両端面が左右方向を向く状態でケース３０内に収容される。コンデンサ素子１０には、左側の端面に、亜鉛等の金属の吹付けにより第１端面電極１１が形成され、右側の端面に、同じく亜鉛等の金属の吹付けにより第２端面電極１２が形成される。
【００１８】
なお、コンデンサ素子１０は、誘電体フィルム上にアルミニウムを蒸着させた金属化フィルム以外にも、亜鉛、マグネシウム等の他の金属を蒸着させた金属化フィルムにより形成されてもよい。あるいは、コンデンサ素子１０は、これらの金属のうち、複数の金属を蒸着させた金属化フィルムにより形成されてもよいし、これらの金属どうしの合金を蒸着させた金属化フィルムにより形成されてもよい。
【００１９】
一対のリード線端子２０は、丸棒状を有し、銅などの導電性に優れる心材を錫などのメッキ材で被覆することにより形成される。一方のリード線端子２０が半田付け、溶接等の接続方法により第１端面電極１１と電気的に接続され、他方のリード線端子２０が半田付け、溶接等の接続方法により第２端面電極１２と電気的に接続される。
【００２０】
ケース３０は、耐湿性および耐熱性に優れる樹脂材料、たとえば、ポリフェニレンサルファイド（ＰＰＳ）により形成される。また、ケース３０は、たとえば、ポリブチレンテレフタレート（ＰＢＴ）により形成されてもよい。
【００２１】
ケース３０は、コンデンサ素子１０を収容する収容部３０１を有する。ケース３０の上面には、収容部３０１に通じる開口部３０２が形成される。収容部３０１を囲む周壁部３０３は、前壁部３０４と、後壁部３０５と、底壁部３０６と、左壁部３０７と、右壁部３０８とにより構成される。前壁部３０４、後壁部３０５および底壁部３０６は、コンデンサ素子１０の周面１３と対向する。底壁部３０６は、ケース３０において、開口部３０２の反対側に位置する。左壁部３０７はコンデンサ素子１０の第１端面電極１１に対向し、右壁部３０８はコンデンサ素子１０の第２端面電極１２に対向する。
【００２２】
前壁部３０４および後壁部３０５は、ほぼ正方形状を有する。底壁部３０６は、やや横長の長方形状であり平坦な平坦部３０６ａと、平坦部３０６ａの前端および後端から、それぞれ、前壁部３０４および後壁部３０５へと繋がる円弧状の湾曲部３０６ｂとを含む。左壁部３０７および右壁部３０８は、前側および後側が湾曲する底壁部３０６の形状に対応するよう、その下部の前後の角部が大きな曲率半径の円弧形状に加工されたやや縦長の長方形状を有する。
【００２３】
底壁部３０６の内面には、左右の端部に前後に並ぶように２つずつ、合計４つの突出部３０９が、上方、即ち開口部３０２側に突出するように形成される。突出部３０９は、先端部が丸められた円柱状を有する。これら４つの突出部３０９により、収容部３０１（ケース３０）内のコンデンサ素子１０が支えられ、コンデンサ素子１０と底壁部３０６との間に隙間が形成される。また、前後２つの突出部３０９の間にコンデンサ素子１０の一部分が嵌り込む状態となるため、コンデンサ素子１０は、前壁部３０４と後壁部３０５との間に隙間を有する状態で、その前後の動きが規制される（図４Ｂ参照）。
【００２４】
左壁部３０７および右壁部３０８の内面には、上下方向に延びるスリット状の３本の溝部３１０が、前後方向に並ぶように形成される。３本の溝部３１０のうち、中央の溝部３１０内に、コンデンサ素子１０に接続されたリード線端子２０が収容される。なお、コンデンサ素子１０の第１端面電極１１および第２端面電極１２に、それぞれ、２つのリード線端子２０が接続される場合がある。このような場合、３本の溝部３１０のうち、前後２つの溝部３１０内に、２つのリード線端子２０が収容されることになる。溝部３１０の上端部は、それより下側の部分よりも溝の幅および深さが大きな大溝部３１０ａとされる。大溝部３１０ａの下端の位置が、ケース３０内への充填樹脂４０の注入量の目安とされ、その位置に到達するまでケース３０内に充填樹脂４０が注入される（図２参照）。
【００２５】
ケース３０には、左壁部３０７および右壁部３０８の外側に、それぞれ、左外壁部３１１および右外壁部３１２が設けられる。左壁部３０７および右壁部３０８と左外壁部３１１および右外壁部３１２との間には、所定の隙間が設けられる。左外壁部３１１および右外壁部３１２は、左壁部３０７および右壁部３０８と同様な形状および大きさを有する。左外壁部３１１および右外壁部３１２の厚さは、左壁部３０７および右壁部３０８の厚さと同じであってもよいし、左壁部３０７および右壁部３０８の厚さより小さくてもよいし大きくてもよい。
【００２６】
ケース３０は、左壁部３０７の外縁部と左外壁部３１１の外縁部との間に部分的（断続的）に設けられ、左壁部３０７と左外壁部３１１を連結する上側２つの左第１連結部３１３と下側２つの左第２連結部３１４とを含む。同様に、ケース３０は、右壁部３０８の外縁部と右外壁部３１２の外縁部との間に部分的（断続的）に設けられ、右壁部３０８と右外壁部３１２を連結する上側２つの右第１連結部３１５と下側２つの右第２連結部３１６とを含む。
【００２７】
２つの左第１連結部３１３は、左壁部３０７および左外壁部３１１の上端部において、前後方向（左外壁部３１１の壁面に沿う第１の方向）に間隔を有して並ぶ。一方の左第１連結部３１３は、左壁部３０７および左外壁部３１１の前端部に位置し、他方の左第１連結部３１３は、左壁部３０７および左外壁部３１１の後端部に位置する。また、２つの左第２連結部３１４は、２つの左第１連結部３１３と、上下方向（左外壁部３１１の壁面に沿い第１の方向に直交する第２の方向）に離れるように、左壁部３０７および左外壁部３１１の下端部に設けられ、この下端部において、前後方向に間隔を有して並ぶ。２つの左第２連結部３１４は、上下方向において２つの左第１連結部３１３と重ならないよう、前後方向において２つの左第１連結部３１３よりも内側（中央寄り）に位置する。
【００２８】
右壁部３０８と右外壁部３１２との間における２つの右第１連結部３１５および２つの右第２連結部３１６の配置も、２つの左第１連結部３１３および２つの左第２連結部３１４の配置と同様である。
【００２９】
左第１連結部３１３および右第１連結部３１５は、前後方向の厚みが、左壁部３０７側および右壁部３０８側の部分で大きく、左外壁部３１１側および右外壁部３１２側の側で小さい形状を有する。また、左第２連結部３１４および右第２連結部３１６は、左壁部３０７側および右壁部３０８側において、これら壁部３０７、３０８に形成されたリブ３１７、３１８と接続される。
【００３０】
フィルムコンデンサ１では、コンデンサ素子１０への通電時、コンデンサ素子１０が振動することにより、この振動に起因してコンデンサ素子１０から騒音（うなり音）が発生し得る。
【００３１】
図５Ａおよび図５Ｂは、本実施の形態に係る、コンデンサ素子１０からの騒音を測定した結果について説明するための図である。図５Ａは、測定条件について説明するための図であり、図５Ｂは、騒音の測定結果が示された表である。
【００３２】
図５Ａに示すように、コンデンサ素子１０を、直方体形状の測定ケースに収容し、コンデンサ素子１０の両端面（第１端面電極１１、第２端面電極１２）が向くＸ軸方向とコンデンサ素子１０の周面が向くＹ軸方向において測定ケースから漏れる騒音が測定された。ここで、測定ケースは、幅寸法（Ｘ軸方向の寸法）Ｗ、奥行寸法（Ｙ軸方向の寸法）Ｄおよび高さ寸法Ｈ（Ｚ軸方向の寸法）が、それぞれ、Ｗ＝５７．５ｍｍ、Ｄ＝４４．５ｍｍおよびＨ＝４４．５ｍｍであり、前後、左右および底の全壁部の肉厚ｔが、ｔ＝１ｍｍである。コンデンサ素子１０の端面および周面から測定器までのそれぞれの距離Ｌｘ、Ｌｙは、Ｌｘ＝Ｌｙ＝１０ｍｍである。測定の際には、直流電源およびリップル電源が用いられる。コンデンサ素子１０には、直流電源からＤＣ６５０Ｖの電圧が印加され、リップル電源から９Ａのリップル電流が印加される。
【００３３】
図５Ｂに示すように、騒音測定の結果は、Ｘ軸方向の騒音の音圧が７５ｄＢ、Ｙ軸方向の騒音が７０ｄＢであった。
【００３４】
上記の測定結果が示すように、コンデンサ素子１０では、両端面、即ち、第１端面電極１１および第２端面電極１２から発生する騒音が、コンデンサ素子１０の周面１３から発生する騒音よりも大きくなる。
【００３５】
フィルムコンデンサ１において、コンデンサ素子１０の第１端面電極１１および第２端面電極１２から発生した、相対的に大きな騒音は、左壁部３０７および右壁部３０８で遮音され、さらに、これらの壁部３０７、３０８から漏れた騒音が、左外壁部３１１および右外壁部３１２で遮音される。一方、コンデンサ素子１０の周面１３から発生した、相対的に小さな騒音は、前壁部３０４、後壁部３０５および底壁部３０６で遮音される。なお、ケース３０の開口部３０２側においては、充填樹脂４０の層が他の部分よりも厚いため、この厚い充填樹脂４０の層による遮音がなされる。
【００３６】
また、コンデンサ素子１０が振動したとき、その振動が周壁部３０３（前壁部３０４、後壁部３０５、底壁部３０６、左壁部３０７および右壁部３０８）にも伝播して周壁部３０３が振動し得る。
【００３７】
ケース３０では、左壁部３０７の外縁部と左外壁部３１１の外縁部との間が、２つの左第１連結部３１３と２つの左第２連結部３１４とにより部分的に連結されるのみであり、右壁部３０８の外縁部と右外壁部３１２の外縁部との間が、２つの右第１連結部３１５と２つの右第２連結部３１６とにより部分的に連結されるのみである。即ち、左壁部３０７と左外壁部３１１との間および右壁部３０８と右外壁部３１２との間は、全周に亘って壁部に覆われるような状態ではなく、前後および上下のほとんどの部分が開放された状態となる。このため、左壁部３０７が振動したとき、この振動は左第１連結部３１３と左第２連結部３１４とを介して左外壁部３１１に僅かに伝播するのみであり、右壁部３０８が振動したとき、この振動は右第１連結部３１５と右第２連結部３１６とを介して右外壁部３１２に僅かに伝播するのみである。よって、左壁部３０７および右壁部３０８の振動が、左外壁部３１１および右外壁部３１２に伝播しにくいため、振動に起因する騒音が左外壁部３１１および右外壁部３１２から発生しにくい。
【００３８】
＜実施の形態の効果＞
以上、本実施の形態によれば、以下の効果が奏される。
【００３９】
ケース３０には、周壁部３０３の一部である左壁部３０７および右壁部３０８の外側に、隙間を有する状態で左外壁部３１１および右外壁部３１２が設けられているので、左壁部３０７および右壁部３０８から漏れた騒音を、左外壁部３１１および右外壁部３１２により遮音することができる。これにより、ケース３０からのコンデンサ素子１０の振動に起因する騒音の漏れを抑制することができる。
【００４０】
また、左壁部３０７と左外壁部３１１との間は、２つの左第１連結部３１３と２つの左第２連結部３１４とにより部分的に連結されるのみであり、右壁部３０８と右外壁部３１２との間は、２つの右第１連結部３１５と２つの右第２連結部３１６とにより部分的に連結されるのみである。このため、コンデンサ素子１０からの振動が伝播し、左壁部３０７および右壁部３０８が振動しても、この振動が左外壁部３１１および右外壁部３１２に伝播しにくい。よって、振動に起因する騒音が左外壁部３１１および右外壁部３１２から発生しにくくなるので、ケース３０からの騒音の漏れを、一層、抑制することができる。
【００４１】
さらに、ケース３０には、相対的に大きな騒音が発生するコンデンサ素子１０の第１端面電極１１および第２端面電極１２に対向する左壁部３０７および右壁部３０８の外側に左外壁部３１１および右外壁部３１２が設けられ、相対的に小さな騒音が発生するコンデンサ素子１０の周面１３に対向する前壁部３０４、後壁部３０５および底壁部３０６の外側には外壁部が設けられない。これにより、二重の壁構造とすることによるケース３０のサイズ増加を極力抑えつつ、ケース３０から漏れる騒音を低減させることができる。
【００４２】
さらに、２つの左第２連結部３１４および２つの右第２連結部３１６が、それぞれ、上下方向において２つの左第１連結部３１３および２つの右第１連結部３１５と重ならないように設けられているので、上下方向に分割される金型を用いた樹脂成形により、ケース３０を容易に形成することができる。
【００４３】
さらに、前後方向において、２つの左第１連結部３１３（２つの右第１連結部３１５）が相対的に外側に位置し、２つの左第２連結部３１４（２つの右第２連結部３１６）が相対的に内側に位置するので、左外壁部３１１（右外壁部３１２）の上側では前後方向における外側の剛性が高まり、左外壁部３１１（右外壁部３１２）の下側では前後方向における内側の剛性が高まり、全体的として左外壁部３１１（右外壁部３１２）の前後方向における内外の剛性が高まる。よって、左外壁部３１１（右外壁部３１２）が振動しにくくなる。
【００４４】
なお、２つの左第１連結部３１３（２つの右第１連結部３１５）および２つの左第２連結部３１４（２つの右第２連結部３１６）が共に前後方向における外側（端寄り）に位置する場合、左外壁部３１１（右外壁部３１２）の前後方向における内側（中央寄り）の部分の剛性が弱くなって内側が振動しやすくなる。反対に、２つの左第１連結部３１３（２つの右第１連結部３１５）および２つの左第２連結部３１４（２つの右第２連結部３１６）が共に前後方向における内側（中央寄り）に位置する場合、左外壁部３１１（右外壁部３１２）の前後方向における外側（端寄り）の部分の剛性が弱くなって外側が振動しやすくなる。
【００４５】
さらに、ケース３０内において、コンデンサ素子１０は、４つの突出部３０９により、コンデンサ素子１０と底壁部３０６との間に隙間が形成されるように支えられるので、コンデンサ素子１０の周面１３が直接、底壁部３０６に接触することを防止できる。これにより、コンデンサ素子１０が振動したときに、その振動が底壁部３０６に伝播しにくくなり、底壁部３０６が振動しにくくなる。なお、突出部３０９の形状および個数は、コンデンサ素子１０を、コンデンサ素子１０と底壁部３０６との間に隙間が形成されるように支えられるのであれば、如何なる形状および個数であってもよい。
【００４６】
以上、本開示の実施の形態について説明したが、本開示は、上記実施の形態に限定されるものではなく、また、本開示の適用例も、上記実施の形態の他に、種々の変更が可能である。
【００４７】
＜第１の実施の形態の変更例＞
図６は、第１の実施の形態の変更例に係る、ケース５０の斜視図である。図７Ａおよび図７Ｂは、それぞれ、本変更例に係る、ケース５０の平面図および底面図である。図８Ａおよび図８Ｂは、それぞれ、図７ＡのＡ−Ａ´断面図およびＢ−Ｂ´断面図である。
【００４８】
上記実施の形態のケース３０に替えて、本変更例のケース５０が、フィルムコンデンサ１に備えられてもよい。
【００４９】
なお、本変更例において、前壁部５０４および後壁部５０５が、請求の範囲に記載の「第２壁部」に対応する。また、左壁部５０７および右壁部５０８が、請求の範囲に記載の「第１壁部」に対応する。さらに、左外壁部５１１、右外壁部５１２、前外壁部５１３および後外壁部５１４が、請求の範囲に記載の「外壁部」に対応する。さらに、左第１連結部５１５、右第１連結部５１７、前第１連結部５１９および後第１連結部５２１が、請求の範囲に記載の「壁連結部」および「第１連結部」に対応する。さらに、左第２連結部５１６、右第２連結部５１８、前第２連結部５２０および後第２連結部５２２が、請求の範囲に記載の「壁連結部」および「第２連結部」に対応する。
【００５０】
ケース５０は、耐湿性および耐熱性に優れる樹脂材料、たとえば、ポリフェニレンサルファイド（ＰＰＳ）、ポリブチレンテレフタレート（ＰＢＴ）などにより形成される。
【００５１】
ケース５０は、コンデンサ素子１０を収容する収容部５０１を有し、開口部５０２が収容部５０１に通じる。収容部５０１を囲む周壁部５０３は、前壁部５０４と、後壁部５０５と、底壁部５０６と、左壁部５０７と、右壁部５０８とにより構成される。前壁部５０４、後壁部５０５および底壁部５０６は、コンデンサ素子１０の周面１３と対向する。底壁部５０６は、ケース５０において、開口部５０２の反対側に位置する。左壁部５０７はコンデンサ素子１０の第１端面電極１１に対向し、右壁部５０８はコンデンサ素子１０の第２端面電極１２に対向する。
【００５２】
前壁部５０４、後壁部５０５および底壁部５０６は、ほぼ正方形状を有する。左壁部３０７および右壁部３０８は、やや縦長の長方形状を有する。
【００５３】
底壁部５０６の内面には、上記実施の形態のケース３０の底壁部３０６と同様、４つの突出部５０９が設けられる。これら４つの突出部５０９により、収容部５０１（ケース５０）内のコンデンサ素子１０が支えられ、コンデンサ素子１０と底壁部５０６との間に隙間が形成される。また、前後２つの突出部５０９の間にコンデンサ素子１０の一部分が嵌り込む状態となるため、コンデンサ素子１０は、前壁部５０４と後壁部５０５との間に隙間を有する状態で、その前後の動きが規制される（図８Ｂ参照）。左壁部５０７および右壁部５０８の内面には、上記実施の形態のケース３０の左壁部３０７および右壁部３０８と同様、３本の溝部５１０が設けられ、溝部５１０の上端部が大溝部５１０ａとされる。
【００５４】
ケース５０には、左壁部５０７および右壁部５０８の外側に、それぞれ、左外壁部５１１および右外壁部５１２が設けられ、前壁部５０４および後壁部５０５の外側に、それぞれ、前外壁部５１３および後外壁部５１４が設けられる。左壁部５０７および右壁部５０８と左外壁部５１１および右外壁部５１２との間、並びに前壁部５０４および後壁部５０５と前外壁部５１３および後外壁部５１４との間には、所定の隙間が設けられる。左外壁部５１１、右外壁部５１２、前外壁部５１３および後外壁部５１４は、左壁部５０７、右壁部５０８、前壁部５０４および後壁部５０５と同様な形状および大きさを有する。左外壁部５１１、右外壁部５１２、前外壁部５１３および後外壁部５１４の厚さは、左壁部５０７、右壁部５０８、前壁部５０４および後壁部５０５の厚さと同じであってもよいし、左壁部５０７、右壁部５０８、前壁部５０４および後壁部５０５の厚さより小さくてもよいし大きくてもよい。
【００５５】
ケース５０は、左壁部５０７の外縁部と左外壁部５１１の外縁部との間に部分的（断続的）に設けられ、左壁部５０７と左外壁部５１１を連結する上側２つの左第１連結部５１５と下側２つの左第２連結部５１６とを含む。また、ケース５０は、右壁部５０８の外縁部と右外壁部５１２の外縁部との間に部分的（断続的）に設けられ、右壁部５０８と右外壁部５１２を連結する上側２つの右第１連結部５１７と下側２つの右第２連結部５１８とを含む。さらに、ケース５０は、前壁部５０４の外縁部と前外壁部５１３の外縁部との間に部分的（断続的）に設けられ、前壁部５０４と前外壁部５１３を連結する上側２つの前第１連結部５１９と下側２つの前第２連結部５２０とを含む。さらに、ケース５０は、後壁部５０５の外縁部と後外壁部５１４の外縁部との間に部分的（断続的）に設けられ、後壁部５０５と後外壁部５１４を連結する上側２つの後第１連結部５２１と下側２つの後第２連結部５２２とを含む。
【００５６】
２つの左第１連結部５１５は、左壁部５０７および左外壁部５１１の上端部において、前後方向（左外壁部５１１の壁面に沿う第１の方向）に間隔を有して並ぶ。一方の左第１連結部５１５は、左壁部５０７および左外壁部５１１の前端部に位置し、他方の左第１連結部５１５は、左壁部５０７および左外壁部５１１の後端部に位置する。また、２つの左第２連結部５１６は、２つの左第１連結部５１５と、上下方向（左外壁部５１１の壁面に沿い第１の方向に直交する第２の方向）に離れるように、左壁部５０７および左外壁部５１１の下端部に設けられ、この下端部において、前後方向に間隔を有して並ぶ。２つの左第２連結部５１６は、上下方向において２つの左第１連結部５１５と重ならないよう、前後方向において２つの左第１連結部５１５よりも内側（中央寄り）に位置する。
【００５７】
右壁部５０８と右外壁部５１２との間における２つの右第１連結部５１７および２つの右第２連結部５１８の配置も、２つの左第１連結部５１５および２つの左第２連結部５１６の配置と同様である。
【００５８】
左第１連結部５１５および右第１連結部５１７は、前後方向の厚みが、左壁部５０７側および右壁部５０８側の部分で大きく、左外壁部５１１側および右外壁部５１２側の側で小さい形状を有する。また、左第２連結部５１６および右第２連結部５１８は、左壁部５０７側および右壁部５０８側において、これら壁部５０７、５０８に形成されたリブ５２３、５２４と接続される。
【００５９】
２つの前第１連結部５１９は、前壁部５０４および前外壁部５１３の上端部において、左右方向（前外壁部５１３の壁面に沿う第１の方向）に間隔を有して並ぶ。一方の前第１連結部５１９は、前壁部５０４および前外壁部５１３の左端部に位置し、他方の前第１連結部５１９は、前壁部５０４および前外壁部５１３の右端部に位置する。また、２つの前第２連結部５２０は、２つの前第１連結部５１９と、上下方向（前外壁部５１３の壁面に沿い第１の方向に直交する第２の方向）に離れるように、前壁部５０４および前外壁部５１３の下端部に設けられ、この下端部において、左右方向に間隔を有して並ぶ。２つの前第２連結部５２０は、上下方向において２つの前第１連結部５１９と重ならないよう、左右方向において２つの前第１連結部５１９よりも内側（中央寄り）に位置する。
【００６０】
後壁部５０５と後外壁部５１４との間における２つの後第１連結部５２１および２つの後第２連結部５２２の配置も、２つの前第１連結部５１９および２つの前第２連結部５２０の配置と同様である。
【００６１】
ケース５０が備えられたフィルムコンデンサ１において、コンデンサ素子１０の第１端面電極１１および第２端面電極１２から発生した、相対的に大きな騒音は、左壁部５０７および右壁部５０８で遮音され、さらに、これらの壁部５０７、５０８から漏れた騒音が、左外壁部５１１および右外壁部５１２で遮音される。一方、コンデンサ素子１０の周面１３から発生した、相対的に小さな騒音は、前壁部５０４、後壁部５０５および底壁部５０６で遮音される。さらに、前壁部５０４および後壁部５０５から漏れた騒音が、前外壁部５１３および後外壁部５１４で遮音される。なお、ケース５０の開口部５０２側においては、充填樹脂４０の層が他の部分よりも厚いため、この厚い充填樹脂４０の層による遮音がなされる。
【００６２】
また、コンデンサ素子１０が振動したとき、その振動が周壁部５０３（前壁部５０４、後壁部５０５、底壁部５０６、左壁部５０７および右壁部５０８）にも伝播して周壁部５０３が振動し得る。
【００６３】
ケース５０では、左壁部５０７の外縁部と左外壁部５１１の外縁部との間が、２つの左第１連結部５１５と２つの左第２連結部５１６とにより部分的に連結されるのみであり、右壁部５０８の外縁部と右外壁部５１２の外縁部との間が、２つの右第１連結部５１７と２つの右第２連結部５１８とにより部分的に連結されるのみである。よって、左壁部５０７および右壁部５０８の振動が、左外壁部５１１および右外壁部５１２に伝播しにくいため、振動に起因する騒音が左外壁部５１１および右外壁部５１２から発生しにくい。同様に、ケース５０では、前壁部５０４の外縁部と前外壁部５１３の外縁部との間が、２つの前第１連結部５１９と２つの前第２連結部５２０とにより部分的に連結されるのみであり、後壁部５０５の外縁部と後外壁部５１４の外縁部との間が、２つの後第１連結部５２１と２つの後第２連結部５２２とにより部分的に連結されるのみである。よって、前壁部５０４および後壁部５０５の振動が、前外壁部５１３および後外壁部５１４に伝播しにくいため、振動に起因する騒音が前外壁部５１３および後外壁部５１４から発生しにくい。
【００６４】
本変更例では、コンデンサ素子１０の第１端面電極１１および第２端面電極１２に対向する左壁部５０７および右壁部５０８の外側に左外壁部５１１および右外壁部５１２が設けられるのみならず、コンデンサ素子１０の周面１３に対向する前壁部５０４および後壁部５０５の外側にも前外壁部５１３および後外壁部５１４が設けられるので、ケース５０は、上記実施の形態のケース３０に比べて、その前後方向のサイズが多少増加するものの、騒音の漏れを一層低減できる。
【００６５】
なお、本変更例において、ケース５０は、底壁部５０６の外側に、この底壁部５０６と隙間を有するようして底外壁部が設けられ、底壁部５０６の外縁部と底外壁部の外縁部とが、部分的に、複数の連結部で連結されるようにしてもよい。即ち、ケース５０の周壁部５０３のほぼ全部の外側に外壁部が設けられてもよい。このようにすれば、ケース５０は、前後方向に加えて上下方向にもサイズが多少増加するものの、騒音の漏れをさらに一層低減できる。
【００６６】
＜その他の変更例＞
たとえば、上記実施の形態のケース３０にいて、左壁部３０７と左外壁部３１１との間および右壁部３０８と右外壁部３１２との間に吸音材を介在させるようにしてもよい。吸音材には、ガラスウール、ロックウール、フェルト等、既知の吸音材料を用いることができる。これにより、ケース３０からの騒音の漏れが一層抑制されることが期待される。同様に、変更例のケース５０において、左壁部５０７と左外壁部５１１との間、右壁部５０８と右外壁部５１２との間、前壁部５０４と前外壁部５１３との間および後壁部５０５と後外壁部５１４との間に吸音材を介在させるようにしてもよい。
【００６７】
（第２の実施の形態）
本実施の形態において、第１端面電極１１および第２端面電極１２が、請求の範囲に記載の「端面電極」に対応する。また、前壁部３０４および後壁部３０５が、請求の範囲に記載の「第２壁部」に対応する。さらに、左壁部３０７および右壁部３０８が、請求の範囲に記載の「第１壁部」に対応する。さらに、左外壁部３１１および右外壁部３１２が、請求の範囲に記載の「外壁部」に対応する。
【００６８】
ただし、上記記載は、あくまで、請求の範囲の構成と実施形態の構成とを対応付けることを目的とするものであって、上記対応付けによって請求の範囲が実施形態の構成に何ら限定されるものではない。
【００６９】
図９は、本実施の形態に係る、充填樹脂４０が充填される前のフィルムコンデンサ１００の分解斜視図である。図１０は、本実施の形態に係る、中央部で切断されたフィルムコンデンサ１００の正面断面図である。図１１Ａおよび図１１Ｂは、それぞれ、本実施の形態に係る、ケース３１の平面図および底面図である。図１２Ａおよび図１２Ｂは、それぞれ、図１１ＡのＡ−Ａ´断面図およびＢ−Ｂ´断面図である。なお、図１０では、便宜上、充填樹脂４０が透明な状態とされ、その上面部分のみが斜線で描かれている。また、図１２Ｂでは、便宜上、コンデンサ素子１０の外形が一点鎖線により示されている。
【００７０】
フィルムコンデンサ１００は、コンデンサ素子１０と、一対のリード線端子２０と、ケース３１と、充填樹脂４０とを備える。図１０のように、ケース３１内に、一対のリード線端子２０が接続されたコンデンサ素子１０が収容され、充填樹脂４０が充填される。充填樹脂４０は、たとえば、エポキシ樹脂等の熱硬化性樹脂からなり、溶融状態でケース３１内に注入され、ケース３１が加熱されることにより硬化する。充填樹脂４０は、コンデンサ素子１０と一対のリード線端子２０とを覆い、これらの部分を湿気や衝撃から保護する。一対のリード線端子２０の先端部は、充填樹脂４０に覆われず、ケース３１よりも上方に突出し、外部装置に設けられた接続部（図示せず）に接続される。
【００７１】
コンデンサ素子１０および一対のリード線端子２０の構成は、第１の実施の形態と同様である。
【００７２】
ケース３１は、耐湿性および耐熱性に優れる樹脂材料、たとえば、ポリフェニレンサルファイド（ＰＰＳ）により形成される。また、ケース３１は、たとえば、ポリブチレンテレフタレート（ＰＢＴ）により形成されてもよい。
【００７３】
ケース３１は、コンデンサ素子１０を収容する収容部３０１を有する。ケース３１の上面には、収容部３０１に通じる開口部３０２が形成される。収容部３０１を囲む周壁部３０３は、前壁部３０４と、後壁部３０５と、底壁部３０６と、左壁部３０７と、右壁部３０８とにより構成される。前壁部３０４、後壁部３０５および底壁部３０６は、コンデンサ素子１０の周面１３と対向する。底壁部３０６は、ケース３１において、開口部３０２の反対側に位置する。左壁部３０７はコンデンサ素子１０の第１端面電極１１に対向し、右壁部３０８はコンデンサ素子１０の第２端面電極１２に対向する。
【００７４】
前壁部３０４および後壁部３０５は、ほぼ正方形状を有する。底壁部３０６は、やや横長の長方形状であり平坦な平坦部３０６ａと、平坦部３０６ａの前端および後端から、それぞれ、前壁部３０４および後壁部３０５へと繋がる円弧状の湾曲部３０６ｂとを含む。左壁部３０７および右壁部３０８は、前側および後側が湾曲する底壁部３０６の形状に対応するよう、その下部の前後の角部が大きな曲率半径の円弧形状に加工されたやや縦長の長方形状を有する。
【００７５】
底壁部３０６の内面には、左右の端部に前後に並ぶように２つずつ、合計４つの突出部３０９が、上方、即ち開口部３０２側に突出するように形成される。突出部３０９は、先端部が丸められた円柱状を有する。これら４つの突出部３０９により、収容部３０１（ケース３１）内のコンデンサ素子１０が支えられ、コンデンサ素子１０と底壁部３０６との間に隙間が形成される。また、前後２つの突出部３０９の間にコンデンサ素子１０の一部分が嵌り込む状態となるため、コンデンサ素子１０は、前壁部３０４と後壁部３０５との間に隙間を有する状態で、その前後の動きが規制される（図１２Ｂ参照）。
【００７６】
左壁部３０７および右壁部３０８の内面には、上下方向に延びるスリット状の３本の溝部３１０が、前後方向に並ぶように形成される。３本の溝部３１０のうち、中央の溝部３１０内に、コンデンサ素子１０に接続されたリード線端子２０が収容される。なお、コンデンサ素子１０の第１端面電極１１および第２端面電極１２に、それぞれ、２つのリード線端子２０が接続される場合がある。このような場合、３本の溝部３１０のうち、前後２つの溝部３１０内に、２つのリード線端子２０が収容されることになる。溝部３１０の上端部は、それより下側の部分よりも溝の幅および深さが大きな大溝部３１０ａとされる。大溝部３１０ａの下端の位置が、ケース３１内への充填樹脂４０の注入量の目安とされ、その位置に到達するまでケース３１内に充填樹脂４０が注入される（図１０参照）。
【００７７】
ケース３１には、左壁部３０７および右壁部３０８の外側に、それぞれ、左外壁部３１１および右外壁部３１２が設けられる。左壁部３０７および右壁部３０８と左外壁部３１１および右外壁部３１２との間には、所定の隙間が設けられる。左外壁部３１１および右外壁部３１２の厚さは、左壁部３０７および右壁部３０８の厚さと同じであってもよいし、左壁部３０７および右壁部３０８の厚さより小さくてもよいし大きくてもよい。
【００７８】
左外壁部３１１および右外壁部３１２は、前後方向において、外縁部から中央部に向かうに従って、曲線的にケース３１の外側、即ち左壁部３０７および右壁部３０８と離れるように湾曲する形状を有する。このため、左外壁部３１１および右外壁部３１２の左壁部３０７および右壁部３０８に対向する各内壁面３１１ａ、３１２ａが、前後方向において、外縁部から中央部に向かうに従って曲線的にケース３１の外側に突出するように湾曲する面となる。
【００７９】
ケース３１は、左壁部３０７の外縁部と左外壁部３１１の外縁部との間に部分的（断続的）に設けられ、左壁部３０７と左外壁部３１１を連結する上側２つの左第１連結部３１３と下側２つの左第２連結部３１４とを含む。同様に、ケース３１は、右壁部３０８の外縁部と右外壁部３１２の外縁部との間に部分的（断続的）に設けられ、右壁部３０８と右外壁部３１２を連結する上側２つの右第１連結部３１５と下側２つの右第２連結部３１６とを含む。
【００８０】
２つの左第１連結部３１３は、左壁部３０７および左外壁部３１１の上端部において、前後方向（左外壁部３１１の壁面に沿う第１の方向）に間隔を有して並ぶ。一方の左第１連結部３１３は、左壁部３０７および左外壁部３１１の前端部に位置し、他方の左第１連結部３１３は、左壁部３０７および左外壁部３１１の後端部に位置する。また、２つの左第２連結部３１４は、２つの左第１連結部３１３と、上下方向（左外壁部３１１の壁面に沿い第１の方向に直交する第２の方向）に離れるように、左壁部３０７および左外壁部３１１の下端部に設けられ、この下端部において、前後方向に間隔を有して並ぶ。２つの左第２連結部３１４は、上下方向において２つの左第１連結部３１３と重ならないよう、前後方向において２つの左第１連結部３１３よりも内側（中央寄り）に位置する。
【００８１】
右壁部３０８と右外壁部３１２との間における２つの右第１連結部３１５および２つの右第２連結部３１６の配置も、２つの左第１連結部３１３および２つの左第２連結部３１４の配置と同様である。
【００８２】
フィルムコンデンサ１００では、コンデンサ素子１０への通電時、コンデンサ素子１０が振動することにより、この振動に起因してコンデンサ素子１０から騒音（うなり音）が発生し得る。
【００８３】
図１３Ａおよび図１３Ｂは、本実施の形態に係る、コンデンサ素子１０からの騒音を測定した結果について説明するための図である。図１３Ａは、測定条件について説明するための図であり、図１３Ｂは、騒音の測定結果が示された表である。
【００８４】
図１３Ａに示すように、コンデンサ素子１０を、直方体形状の測定ケースに収容し、コンデンサ素子１０の両端面（第１端面電極１１、第２端面電極１２）が向くＸ軸方向とコンデンサ素子１０の周面が向くＹ軸方向において測定ケースから漏れる騒音が測定された。ここで、測定ケースは、幅寸法（Ｘ軸方向の寸法）Ｗ、奥行寸法（Ｙ軸方向の寸法）Ｄおよび高さ寸法Ｈ（Ｚ軸方向の寸法）が、それぞれ、Ｗ＝５７．５ｍｍ、Ｄ＝４４．５ｍｍおよびＨ＝４４．５ｍｍであり、前後、左右および底の全壁部の肉厚ｔが、ｔ＝１ｍｍである。コンデンサ素子１０の端面および周面から測定器までのそれぞれの距離Ｌｘ、Ｌｙは、Ｌｘ＝Ｌｙ＝１０ｍｍである。測定の際には、直流電源およびリップル電源が用いられる。コンデンサ素子１０には、直流電源からＤＣ６５０Ｖの電圧が印加され、リップル電源から９Ａのリップル電流が印加される。
【００８５】
図１３Ｂに示すように、騒音測定の結果は、Ｘ軸方向の騒音の音圧が７５ｄＢ、Ｙ軸方向の騒音が７０ｄＢであった。
【００８６】
上記の測定結果が示すように、コンデンサ素子１０では、両端面、即ち、第１端面電極１１および第２端面電極１２から発生する騒音が、コンデンサ素子１０の周面１３から発生する騒音よりも大きくなる。
【００８７】
フィルムコンデンサ１００において、コンデンサ素子１０の第１端面電極１１および第２端面電極１２から発生した、相対的に大きな騒音は、左壁部３０７および右壁部３０８で遮音され、さらに、これらの壁部３０７、３０８から漏れた騒音が、左外壁部３１１および右外壁部３１２で遮音される。一方、コンデンサ素子１０の周面１３から発生した、相対的に小さな騒音は、前壁部３０４、後壁部３０５および底壁部３０６で遮音される。なお、ケース３１の開口部３０２側においては、充填樹脂４０の層が他の部分よりも厚いため、この厚い充填樹脂４０の層による遮音がなされる。
【００８８】
ここで、左壁部３０７および右壁部３０８から漏れた音は、左外壁部３１１および右外壁部３１２に衝突し反射する。このとき、左外壁部３１１および右外壁部３１２の各内壁面３１１ａ、３１２ａは、外縁部から中央部に向かうに従ってケース３１の外側に突出するように湾曲する面とされているので、各内壁面３１１ａ、３１２ａで反射した音は、前後方向における中心部側へと方向を変えられて、左壁部３０７および右壁部３０８へ向かう。これにより、反射音は、ケース３１の外方向に拡がりにくくなり、ケース３１の内部に閉じ込められやすくなる。
【００８９】
また、コンデンサ素子１０が振動したとき、その振動が周壁部３０３（前壁部３０４、後壁部３０５、底壁部３０６、左壁部３０７および右壁部３０８）にも伝播して周壁部３０３が振動し得る。
【００９０】
ケース３１では、左壁部３０７の外縁部と左外壁部３１１の外縁部との間が、２つの左第１連結部３１３と２つの左第２連結部３１４とにより部分的に連結されるのみであり、右壁部３０８の外縁部と右外壁部３１２の外縁部との間が、２つの右第１連結部３１５と２つの右第２連結部３１６とにより部分的に連結されるのみである。即ち、左壁部３０７と左外壁部３１１との間および右壁部３０８と右外壁部３１２との間は、全周に亘って壁部に覆われるような状態ではなく、前後および上下のほとんどの部分が開放された状態となる。このため、左壁部３０７が振動したとき、この振動は左第１連結部３１３と左第２連結部３１４とを介して左外壁部３１１に僅かに伝播するのみであり、右壁部３０８が振動したとき、この振動は右第１連結部３１５と右第２連結部３１６とを介して右外壁部３１２に僅かに伝播するのみである。よって、左壁部３０７および右壁部３０８の振動が、左外壁部３１１および右外壁部３１２に伝播しにくいため、振動に起因する騒音が左外壁部３１１および右外壁部３１２から発生しにくい。
【００９１】
＜実施の形態の効果＞
以上、本実施の形態によれば、以下の効果が奏される。
【００９２】
ケース３１には、周壁部３０３の一部である左壁部３０７および右壁部３０８の外側に、隙間を有する状態で左外壁部３１１および右外壁部３１２が設けられているので、左壁部３０７および右壁部３０８から漏れた騒音を、左外壁部３１１および右外壁部３１２により遮音することができる。これにより、ケース３１からのコンデンサ素子１０の振動に起因する騒音の漏れを抑制することができる。
【００９３】
また、左外壁部３１１および右外壁部３１２の各内壁面３１１ａ、３１２ａは、外縁部から中央部に向かうに従ってケース３１の外側に突出するように湾曲する面とされており、左外壁部３１１および右外壁部３１２の各内壁面３１１ａ、３１２ａで反射した音は、ケース３１の外方向に拡がりにくくなり、ケース３１の内部に閉じ込められやすくなる。これにより、ケース３１からの騒音の漏れを、一層、抑制することができる。
【００９４】
さらに、左壁部３０７と左外壁部３１１との間は、２つの左第１連結部３１３と２つの左第２連結部３１４とにより部分的に連結されるのみであり、右壁部３０８と右外壁部３１２との間は、２つの右第１連結部３１５と２つの右第２連結部３１６とにより部分的に連結されるのみである。このため、コンデンサ素子１０からの振動が伝播し、左壁部３０７および右壁部３０８が振動しても、この振動が左外壁部３１１および右外壁部３１２に伝播しにくい。よって、振動に起因する騒音が左外壁部３１１および右外壁部３１２から発生しにくくなるので、ケース３１からの騒音の漏れを、一層、抑制することができる。
【００９５】
なお、このように、左壁部３０７と左外壁部３１１との間が２つの左第１連結部３１３と２つの左第２連結部３１４とにより部分的に連結され、右壁部３０８と右外壁部３１２との間が２つの右第１連結部３１５と２つの右第２連結部３１６とにより部分的に連結される構成とされた場合、左壁部３０７と左外壁部３１１との間および右壁部３０８と右外壁部３１２との間では、その外周部分が大きく開放されることになる。このため、左外壁部３１１および右外壁部３１２からの反射音が外方に拡がってしまうとケース３１の外に音が漏れやすくなる。本実施の形態では、このような構成において、左外壁部３１１および右外壁部３１２の各内壁面３１１ａ、３１２aが外縁部から中央部に向かうに従ってケース３１の外側に突出するように湾曲する面とされることにより、反射音が外方に拡がりにくい構成とされているので、特に著しいケース３１からの音漏れの抑制効果が期待できる。
【００９６】
さらに、ケース３１には、相対的に大きな騒音が発生するコンデンサ素子１０の第１端面電極１１および第２端面電極１２に対向する左壁部３０７および右壁部３０８の外側に左外壁部３１１および右外壁部３１２が設けられ、相対的に小さな騒音が発生するコンデンサ素子１０の周面１３に対向する前壁部３０４、後壁部３０５および底壁部３０６の外側には外壁部が設けられない。これにより、二重の壁構造とすることによるケース３１のサイズ増加を極力抑えつつ、ケース３１から漏れる騒音を低減させることができる。
【００９７】
さらに、２つの左第２連結部３１４および２つの右第２連結部３１６が、それぞれ、上下方向において２つの左第１連結部３１３および２つの右第１連結部３１５と重ならないように設けられているので、上下方向に分割される金型を用いた樹脂成形により、ケース３１を容易に形成することができる。
【００９８】
さらに、前後方向において、２つの左第１連結部３１３（２つの右第１連結部３１５）が相対的に外側に位置し、２つの左第２連結部３１４（２つの右第２連結部３１６）が相対的に内側に位置するので、左外壁部３１１（右外壁部３１２）の上側では前後方向における外側の剛性が高まり、左外壁部３１１（右外壁部３１２）の下側では前後方向における内側の剛性が高まり、全体的として左外壁部３１１（右外壁部３１２）の前後方向における内外の剛性が高まる。よって、左外壁部３１１（右外壁部３１２）が振動しにくくなる。
【００９９】
なお、２つの左第１連結部３１３（２つの右第１連結部３１５）および２つの左第２連結部３１４（２つの右第２連結部３１６）が共に前後方向における外側（端寄り）に位置する場合、左外壁部３１１（右外壁部３１２）の前後方向における内側（中央寄り）の部分の剛性が弱くなって内側が振動しやすくなる。反対に、２つの左第１連結部３１３（２つの右第１連結部３１５）および２つの左第２連結部３１４（２つの右第２連結部３１６）が共に前後方向における内側（中央寄り）に位置する場合、左外壁部３１１（右外壁部３１２）の前後方向における外側（端寄り）の部分の剛性が弱くなって外側が振動しやすくなる。
【０１００】
さらに、ケース３１内において、コンデンサ素子１０は、４つの突出部３０９により、コンデンサ素子１０と底壁部３０６との間に隙間が形成されるように支えられるので、コンデンサ素子１０の周面１３が直接、底壁部３０６に接触することを防止できる。これにより、コンデンサ素子１０が振動したときに、その振動が底壁部３０６に伝播しにくくなり、底壁部３０６が振動しにくくなる。なお、突出部３０９の形状および個数は、コンデンサ素子１０を、コンデンサ素子１０と底壁部３０６との間に隙間が形成されるように支えられるのであれば、如何なる形状および個数であってもよい。
【０１０１】
以上、本開示の実施の形態について説明したが、本開示は、上記実施の形態に限定されるものではなく、また、本開示の適用例も、上記実施の形態の他に、種々の変更が可能である。
【０１０２】
＜第２の実施の形態の変更例＞
図１４は、第２の実施の形態の変更例に係る、ケース５１の斜視図である。図１５Ａおよび図１５Ｂは、それぞれ、変更例に係る、ケース５１の平面図および底面図である。図１６Ａおよび図１６Ｂは、それぞれ、図１５ＡのＡ−Ａ´断面図およびＢ−Ｂ´断面図である。
【０１０３】
上記実施の形態のケース３１に替えて、本変更例のケース５１が、フィルムコンデンサ１００に備えられてもよい。
【０１０４】
なお、本変更例において、前壁部５０４および後壁部５０５が、請求の範囲に記載の「第２壁部」に対応する。また、左壁部５０７および右壁部５０８が、請求の範囲に記載の「第１壁部」に対応する。さらに、左外壁部５１１、右外壁部５１２、前外壁部５１３および後外壁部５１４が、請求の範囲に記載の「外壁部」に対応する。
【０１０５】
ケース５１は、耐湿性および耐熱性に優れる樹脂材料、たとえば、ポリフェニレンサルファイド（ＰＰＳ）、ポリブチレンテレフタレート（ＰＢＴ）などにより形成される。
【０１０６】
ケース５１は、コンデンサ素子１０を収容する収容部５０１を有し、開口部５０２が収容部５０１に通じる。収容部５０１を囲む周壁部５０３は、前壁部５０４と、後壁部５０５と、底壁部５０６と、左壁部５０７と、右壁部５０８とにより構成される。前壁部５０４、後壁部５０５および底壁部５０６は、コンデンサ素子１０の周面１３と対向する。底壁部５０６は、ケース５１において、開口部５０２の反対側に位置する。左壁部５０７はコンデンサ素子１０の第１端面電極１１に対向し、右壁部５０８はコンデンサ素子１０の第２端面電極１２に対向する。
【０１０７】
前壁部５０４、後壁部５０５および底壁部５０６は、ほぼ正方形状を有する。左壁部３０７および右壁部３０８は、やや縦長の長方形状を有する。
【０１０８】
底壁部５０６の内面には、上記実施の形態のケース３１の底壁部３０６と同様、４つの突出部５０９が設けられる。これら４つの突出部５０９により、収容部５０１（ケース５１）内のコンデンサ素子１０が支えられ、コンデンサ素子１０と底壁部５０６との間に隙間が形成される。また、前後２つの突出部５０９の間にコンデンサ素子１０の一部分が嵌り込む状態となるため、コンデンサ素子１０は、前壁部５０４と後壁部５０５との間に隙間を有する状態で、その前後の動きが規制される（図１６Ｂ参照）。左壁部５０７および右壁部５０８の内面には、上記実施の形態のケース３１の左壁部３０７および右壁部３０８と同様、３本の溝部５１０が設けられ、溝部５１０の上端部が大溝部３１０ａとされる。
【０１０９】
ケース５１には、左壁部５０７および右壁部５０８の外側に、それぞれ、左外壁部５１１および右外壁部５１２が設けられ、前壁部５０４および後壁部５０５の外側に、それぞれ、前外壁部５１３および後外壁部５１４が設けられる。左壁部５０７および右壁部５０８と左外壁部５１１および右外壁部５１２との間、並びに前壁部５０４および後壁部５０５と前外壁部５１３および後外壁部５１４との間には、所定の隙間が設けられる。左外壁部５１１、右外壁部５１２、前外壁部５１３および後外壁部５１４は、左壁部５０７、右壁部５０８、前壁部５０４および後壁部５０５と同様な形状および大きさを有する。左外壁部５１１、右外壁部５１２、前外壁部５１３および後外壁部５１４の厚さは、左壁部５０７、右壁部５０８、前壁部５０４および後壁部５０５の厚さと同じであってもよいし、左壁部５０７、右壁部５０８、前壁部５０４および後壁部５０５の厚さより小さくてもよいし大きくてもよい。
【０１１０】
左外壁部５１１および右外壁部５１２は、前後方向において、外縁部から中央部に向かうに従って、曲線的にケース５１の外側、即ち左壁部５０７および右壁部５０８と離れるように湾曲する形状を有する。このため、左外壁部５１１および右外壁部５１２の左壁部５０７および右壁部５０８に対向する各内壁面５１１ａ、５１２ａが、前後方向において、外縁部から中央部に向かうに従って曲線的にケース５１の外側に突出するように湾曲する面となる。同様に、前外壁部５１３および後外壁部５１４は、左右方向において、外縁部から中央部に向かうに従って、曲線的にケース５１の外側、即ち前壁部５０４および後壁部５０５と離れるように湾曲する形状を有する。このため、前外壁部５１３および後外壁部５１４の前壁部５０４および後壁部５０５に対向する各内壁面５１３ａ、５１４ａが、左右方向において、外縁部から中央部に向かうに従って曲線的にケース５１の外側に突出するように湾曲する面となる。
【０１１１】
ケース５１は、左壁部５０７の外縁部と左外壁部５１１の外縁部との間に部分的（断続的）に設けられ、左壁部５０７と左外壁部５１１を連結する上側２つの左第１連結部５１５と下側２つの左第２連結部５１６とを含む。また、ケース５１は、右壁部５０８の外縁部と右外壁部５１２の外縁部との間に部分的（断続的）に設けられ、右壁部５０８と右外壁部５１２を連結する上側２つの右第１連結部５１７と下側２つの右第２連結部５１８とを含む。さらに、ケース５１は、前壁部５０４の外縁部と前外壁部５１３の外縁部との間に部分的（断続的）に設けられ、前壁部５０４と前外壁部５１３を連結する上側２つの前第１連結部５１９と下側２つの前第２連結部５２０とを含む。さらに、ケース５１は、後壁部５０５の外縁部と後外壁部５１４の外縁部との間に部分的（断続的）に設けられ、後壁部５０５と後外壁部５１４を連結する上側２つの後第１連結部５２１と下側２つの後第２連結部５２２とを含む。
【０１１２】
２つの左第１連結部５１５は、左壁部５０７および左外壁部５１１の上端部において、前後方向（左外壁部５１１の壁面に沿う第１の方向）に間隔を有して並ぶ。一方の左第１連結部５１５は、左壁部５０７および左外壁部５１１の前端部に位置し、他方の左第１連結部５１５は、左壁部５０７および左外壁部５１１の後端部に位置する。また、２つの左第２連結部５１６は、２つの左第１連結部５１５と、上下方向（左外壁部５１１の壁面に沿い第１の方向に直交する第２の方向）に離れるように、左壁部５０７および左外壁部５１１の下端部に設けられ、この下端部において、前後方向に間隔を有して並ぶ。２つの左第２連結部５１６は、上下方向において２つの左第１連結部５１５と重ならないよう、前後方向において２つの左第１連結部５１５よりも内側（中央寄り）に位置する。
【０１１３】
右壁部５０８と右外壁部５１２との間における２つの右第１連結部５１７および２つの右第２連結部５１８の配置も、２つの左第１連結部５１５および２つの左第２連結部５１６の配置と同様である。
【０１１４】
２つの前第１連結部５１９は、前壁部５０４および前外壁部５１３の上端部において、左右方向（前外壁部５１３の壁面に沿う第１の方向）に間隔を有して並ぶ。一方の前第１連結部５１９は、前壁部５０４および前外壁部５１３の左端部に位置し、他方の前第１連結部５１９は、前壁部５０４および前外壁部５１３の右端部に位置する。また、２つの前第２連結部５２０は、２つの前第１連結部５１９と、上下方向（前外壁部５１３の壁面に沿い第１の方向に直交する第２の方向）に離れるように、前壁部５０４および前外壁部５１３の下端部に設けられ、この下端部において、左右方向に間隔を有して並ぶ。２つの前第２連結部５２０は、上下方向において２つの前第１連結部５１９と重ならないよう、左右方向において２つの前第１連結部５１９よりも内側（中央寄り）に位置する。
【０１１５】
後壁部５０５と後外壁部５１４との間における２つの後第１連結部５２１および２つの後第２連結部５２２の配置も、２つの前第１連結部５１９および２つの前第２連結部５２０の配置と同様である。
【０１１６】
ケース５１が備えられたフィルムコンデンサ１００において、コンデンサ素子１０の第１端面電極１１および第２端面電極１２から発生した、相対的に大きな騒音は、左壁部５０７および右壁部５０８で遮音され、さらに、これらの壁部５０７、５０８から漏れた騒音が、左外壁部５１１および右外壁部５１２で遮音される。一方、コンデンサ素子１０の周面１３から発生した、相対的に小さな騒音は、前壁部５０４、後壁部５０５および底壁部５０６で遮音される。さらに、前壁部５０４および後壁部５０５から漏れた騒音が、前外壁部５１３および後外壁部５１４で遮音される。なお、ケース５１の開口部５０２側においては、充填樹脂４０の層が他の部分よりも厚いため、この厚い充填樹脂４０の層による遮音がなされる。
【０１１７】
ここで、左壁部５０７および右壁部５０８から漏れた音は、左外壁部５１１および右外壁部５１２に衝突し反射する。このとき、左外壁部５１１および右外壁部５１２の各内壁面５１１ａ、５１２ａは、外縁部から中央部に向かうに従ってケース５１の外側に突出するように湾曲する面とされているので、各内壁面５１１ａ、５１２ａで反射した音は、前後方向における中心部側へと方向を変えられて、左壁部５０７および右壁部５０８へ向かう。これにより、反射音は、ケース５１の外方向に拡がりにくくなり、ケース５１の内部に閉じ込められやすくなる。同様に、前外壁部５１３および後外壁部５１４の各内壁面５１３ａ、５１４ａも、外縁部から中央部に向かうに従ってケース５１の外側に突出するように湾曲する面とされているので、これら各内壁面５１３ａ、５１４ａで反射した音も、ケース５１の内部に閉じ込められやすくなる。
【０１１８】
また、コンデンサ素子１０が振動したとき、その振動が周壁部５０３（前壁部５０４、後壁部５０５、底壁部５０６、左壁部５０７および右壁部５０８）にも伝播して周壁部５０３が振動し得る。
【０１１９】
ケース５１では、左壁部５０７の外縁部と左外壁部５１１の外縁部との間が、２つの左第１連結部５１５と２つの左第２連結部５１６とにより部分的に連結されるのみであり、右壁部５０８の外縁部と右外壁部５１２の外縁部との間が、２つの右第１連結部５１７と２つの右第２連結部５１８とにより部分的に連結されるのみである。よって、左壁部５０７および右壁部５０８の振動が、左外壁部５１１および右外壁部５１２に伝播しにくいため、振動に起因する騒音が左外壁部５１１および右外壁部５１２から発生しにくい。同様に、ケース５１では、前壁部５０４の外縁部と前外壁部５１３の外縁部との間が、２つの前第１連結部５１９と２つの前第２連結部５２０とにより部分的に連結されるのみであり、後壁部５０５の外縁部と後外壁部５１４の外縁部との間が、２つの後第１連結部５２１と２つの後第２連結部５２２とにより部分的に連結されるのみである。よって、前壁部５０４および後壁部５０５の振動が、前外壁部５１３および後外壁部５１４に伝播しにくいため、振動に起因する騒音が前外壁部５１３および後外壁部５１４から発生しにくい。
【０１２０】
本変更例では、コンデンサ素子１０の第１端面電極１１および第２端面電極１２に対向する左壁部５０７および右壁部５０８の外側に左外壁部５１１および右外壁部５１２が設けられるのみならず、コンデンサ素子１０の周面１３に対向する前壁部５０４および後壁部５０５の外側にも前外壁部５１３および後外壁部５１４が設けられるので、ケース５１は、上記実施の形態のケース３１に比べて、その前後方向のサイズが多少増加するものの、騒音の漏れを一層低減できる。
【０１２１】
なお、本変更例において、ケース５１は、底壁部５０６の外側に、この底壁部５０６と隙間を有するようして底外壁部が設けられ、底壁部５０６の外縁部と底外壁部の外縁部とが、部分的に、複数の連結部で連結されるようにしてもよい。即ち、ケース５１の周壁部５０３のほぼ全部の外側に外壁部が設けられてもよい。このようにすれば、ケース５１は、前後方向に加えて上下方向にもサイズが多少増加するものの、騒音の漏れをさらに一層低減できる。この場合、底外壁部は、左外壁部５１１等と同様な湾曲形状とされることが望ましい。
【０１２２】
＜その他の変更例＞
たとえば、上記実施の形態のケース３１にいて、左壁部３０７と左外壁部３１１との間および右壁部３０８と右外壁部３１２との間に吸音材を介在させるようにしてもよい。吸音材には、ガラスウール、ロックウール、フェルト等、既知の吸音材料を用いることができる。これにより、ケース３１からの騒音の漏れが一層抑制されることが期待される。同様に、変更例のケース５１において、左壁部５０７と左外壁部５１１との間、右壁部５０８と右外壁部５１２との間、前壁部５０４と前外壁部５１３との間および後壁部５０５と後外壁部５１４との間に吸音材を介在させるようにしてもよい。
【０１２３】
また、上記実施の形態では、左外壁部３１１および右外壁部３１２が、前後方向において、外縁部から中央部に向かうに従ってケース３１の外側に突出するように湾曲する形状に形成された。しかしながら、図１７Ａに示すように、左外壁部３１１および右外壁部３１２が、上下方向において、外縁部から中央部に向かうに従ってケース３１の外側に突出するように湾曲する形状に形成されてもよい。さらには、左外壁部３１１および右外壁部３１２が、前後方向および上下方向の双方において、外縁部から中央部に向かうに従ってケース３１の外側に突出するように湾曲する形状（３次元湾曲形状）に形成されてもよい。ケース５１の左外壁部５１１、右外壁部５１２、前外壁部５１３および後外壁部５１４においても、同様な変更が行える。
【０１２４】
さらに、上記実施の形態では、左外壁部３１１および右外壁部３１２の壁部全体が、外縁部から中央部に向かうに従ってケース３１の外側に突出するように湾曲する形状とされることで、各内壁面３１１ａ、３１２ａが湾曲面に形成された。しかしながら、反射音をケース３１の外方向に拡げないためには、各内壁面３１１ａ、３１２ａが、外縁部から中央部に向かうに従って左壁部３０７あるいは右壁部３０８と離れる形状であればよい。よって、図１７Ｂに示すように、左外壁部３１１および右外壁部３１２は、各内壁面３１１ａ、３１２ａが湾曲面となり、各外壁面３１１ｂ、３１２ｂが平坦面となるように形成されてもよい。ケース５１の左外壁部５１１、右外壁部５１２、前外壁部５１３および後外壁部５１４においても、同様な変更が行える。
【０１２５】
さらに、上記実施の形態では、左外壁部３１１および右外壁部３１２、即ち、各内壁面３１１ａ、３１２ａが、曲線的に、ケース３１の外側に突出するような湾曲形状に形成された。しかしながら、図１８Ａ、図１８Ｂに示すように、左外壁部３１１および右外壁部３１２、即ち、各内壁面３１１ａ、３１２ａが、直線的に、ケース３１の外側に突出するように屈曲する形状であってもよい。なお、図１８Ｂのように、各内壁面３１１ａ、３１２ａには、小さな範囲であれば、中央部に平坦な面が存在していてもよい。この点は、各内壁面３１１ａ、３１２ａが、曲線的に、ケース３１の外側に突出する場合も同様である。ケース５１の左外壁部５１１、右外壁部５１２、前外壁部５１３および後外壁部５１４においても、同様な変更が行える。
【０１２６】
さらに、図１７Ａの構成に、図１７Ｂ、図１８Ａおよび図１８Ｂの構成が適用されてもよい。
【０１２７】
上記第１および第２の実施の形態では、ケース３０（３１）は、左壁部３０７と左外壁部３１１との間が２つの左第１連結部３１３と２つの左第２連結部３１４とにより連結され、右壁部３０８と右外壁部３１２との間が２つの右第１連結部３１５と２つの右第２連結部３１６とにより連結された。しかしながら、左壁部３０７と左外壁部３１１との間の外周部分が壁部で覆われて閉塞されるような構成とされてもよい。ケース５０（５１）においても、同様な変更を行うことができる。
【０１２８】
さらに、上記第１および第２の実施の形態では、左第１連結部３１３、左第２連結部３１４、右第１連結部３１５および右第２連結部３１６が、ケース３０（３１）に２つずつ設けられた。しかしながら、左第１連結部３１３、左第２連結部３１４、右第１連結部３１５および右第２連結部３１６の個数は、これらに限定されるものでなく、如何なる個数であってもよい。さらに、左第１連結部３１３および左第２連結部３１４（右第１連結部３１５および右第２連結部３１６）が設けられる位置も、上記実施の形態に限定されず、左壁部３０７（右壁部３０８）と左外壁部３１１（右外壁部３１２）との間に部分的に設けられれば、如何なる位置であってもよい。同様に、ケース５０（５１）に設けられる左第１連結部５１５、左第２連結部５１６、右第１連結部５１７、右第２連結部５１８、前第１連結部５１９、前第２連結部５２０、後第１連結部５２１および後第２連結部５２２の個数や位置も、如何なる個数や位置であってもよい。
【０１２９】
さらに、上記第１および第２の実施の形態では、フィルムコンデンサ１（１００）が、ケース３０（３１）内に１個のコンデンサ素子１０が収容される構成とされた。しかしながら、これに限らず、フィルムコンデンサ１（１００）が、ケース３０（３１）内に複数個のコンデンサ素子１０が収容される構成とされてもよい。
【０１３０】
さらに、上記第１および第２の実施の形態では、コンデンサ素子１０は、誘電体フィルム上にアルミニウムを蒸着させた２枚の金属化フィルムを重ね、重ねた金属化フィルムを巻回などすることで形成されたものであるが、これ以外にも、誘電体フィルムの両面にアルミニウムを蒸着させた金属化フィルムと絶縁フィルムとを重ね、これを巻回などすることによりコンデンサ素子１０が形成されてもよい。
【０１３１】
さらに、上記第１および第２の実施の形態では、コンデンサ素子１０が収容されたケース３０（３１）内に充填樹脂４０が充填された。しかしながら、ケース３０（３１）内に充填樹脂４０が充填されず、ケース３０（３１）の開口部３０２が蓋部で覆われ、ケース３０（３１）の内部が密閉されるような構成とされてもよい。
【０１３２】
さらに、上記第１および第２の実施の形態では、本開示のコンデンサの一例として、フィルムコンデンサ１（１００）が挙げられた。しかしながら、本開示は、コンデンサ素子がケース内に収容される構成のコンデンサであれば、フィルムコンデンサ１（１００）以外のコンデンサに適用することもできる。
【０１３３】
この他、本開示の実施の形態は、請求の範囲に示された技術的思想の範囲内において、適宜、種々の変更が可能である。
【０１３４】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【０１３５】
本開示は、各種電子機器、電気機器、産業機器、車両の電装等に使用されるコンデンサに有用である。
【符号の説明】
【０１３６】
１  フィルムコンデンサ（コンデンサ）
１０  コンデンサ素子
１１  第１端面電極（端面電極）
１２  第２端面電極（端面電極）
３０  ケース
３１  ケース
１００  フィルムコンデンサ（コンデンサ）
３０２  開口部
３０３  周壁部
３０４  前壁部（第２壁部）
３０５  後壁部（第２壁部）
３０６  底壁部
３０７  左壁部（第１壁部）
３０８  右壁部（第１壁部）
３０９  突出部
３１１  左外壁部（外壁部）
３１１ａ  内壁面
３１２  右外壁部（外壁部）
３１２ａ  内壁面
３１３  左第１連結部（壁連結部、第１連結部）
３１４  左第２連結部（壁連結部、第２連結部）
３１５  右第１連結部（壁連結部、第１連結部）
３１６  右第２連結部（壁連結部、第２連結部）
５０  ケース
５１  ケース
５０２  開口部
５０３  周壁部
５０４  前壁部（第２壁部）
５０５  後壁部（第２壁部）
５０６  底壁部
５０７  左壁部（第１壁部）
５０８  右壁部（第１壁部）
５０９  突出部
５１１  左外壁部（外壁部）
５１１ａ  内壁面
５１２  右外壁部（外壁部）
５１２ａ  内壁面
５１３  前外壁部（外壁部）
５１３ａ  内壁面
５１４  後外壁部（外壁部）
５１４ａ  内壁面
５１５  左第１連結部（壁連結部、第１連結部）
５１６  左第２連結部（壁連結部、第２連結部）
５１７  右第１連結部（壁連結部、第１連結部）
５１８  右第２連結部（壁連結部、第２連結部）
５１９  前第１連結部（壁連結部、第１連結部）
５２０  前第２連結部（壁連結部、第２連結部）
５２１  後第１連結部（壁連結部、第１連結部）
５２２  後第２連結部（壁連結部、第２連結部）
【図１】
2019058846.tif 000003
【図２】
2019058846.tif 000004
【図３Ａ】
2019058846.tif 000005
【図３Ｂ】
2019058846.tif 000006
【図４Ａ】
2019058846.tif 000007
【図４Ｂ】
2019058846.tif 000008
【図５Ａ】
2019058846.tif 000009
【図５Ｂ】
2019058846.tif 000010
【図６】
2019058846.tif 000011
【図７Ａ】
2019058846.tif 000012
【図７Ｂ】
2019058846.tif 000013
【図８Ａ】
2019058846.tif 000014
【図８Ｂ】
2019058846.tif 000015
【図９】
2019058846.tif 000016
【図１０】
2019058846.tif 000017
【図１１Ａ】
2019058846.tif 000018
【図１１Ｂ】
2019058846.tif 000019
【図１２Ａ】
2019058846.tif 000020
【図１２Ｂ】
2019058846.tif 000021
【図１３Ａ】
2019058846.tif 000022
【図１３Ｂ】
2019058846.tif 000023
【図１４】
2019058846.tif 000024
【図１５Ａ】
2019058846.tif 000025
【図１５Ｂ】
2019058846.tif 000026
【図１６Ａ】
2019058846.tif 000027
【図１６Ｂ】
2019058846.tif 000028
【図１７Ａ】
2019058846.tif 000029
【図１７Ｂ】
2019058846.tif 000030
【図１８Ａ】
2019058846.tif 000031
【図１８Ｂ】
2019058846.tif 000032
【国際調査報告】
2019058846.tif 000033
2019058846.tif 000034